(57)【要約】【課題】コンポスト（堆肥）などの有機物の腐熟度の測定や、ある種の水溶液又は肥料含有液が、どのような種類の植物の種子等に対して適正に栽培できるか否かを簡単に試験等することができる植物の生育測定器具、及びその測定器具を用いたコンポスト化処理物の腐熟度判定方法を提供する。【解決手段】上方が開口した視認性を有する栽培槽１０と、該栽培槽１０に収容される支持基板３０と植物の種子を発芽させる着床部材２０とを有し、上記支持基板２０には着床部材３０より発芽した植物が生育する視認性を有する筒状の生育ホルダー２５が並列に設けられると共に、上記着床部材２０は生育ホルダー２５の下部に設けられ、かつ、上記視認性を有する栽培槽１０には、上記生育ホルダー２５内で生育する植物の生育度合いを測定する目盛部１３ａが設けられたことを特徴とする植物の生育測定器具。【選択図】  図１
2004201586.tif 000002
【特許請求の範囲】
【請求項１】
上方が開口した視認性を有する栽培槽と、該栽培槽に収容される植物の種子を発芽させる着床部材と、前記栽培槽に収容されると共に、着床部材より発芽した植物が生育する視認性を有する筒状の生育ホルダーが並列に設けられた支持基板とを有し、上記着床部材は生育ホルダーの下部に設けられ、かつ、上記視認性を有する栽培槽には、生育ホルダー内で生育する植物の生育度合いを測定する目盛部が設けられたことを特徴とする植物の生育測定器具。
【請求項２】
支持基板には、筒状の生育ホルダーが２本〜３０本並列に設けられる請求項１記載の植物の生育測定器具。
【請求項３】
支持基板が暗色材から構成される請求項１又は２記載の植物の生育測定器具。
【請求項４】
支持基板に並列に設けられる各生育ホルダーには、該生育ホルダー内で生育する植物の生育度合いを測定する目盛部が設けられる請求項１〜３の何れか一つに記載の植物の生育測定器具。
【請求項５】
栽培槽内に設けられる仕切壁体により栽培槽が２以上に区画され、該区画された各区画栽培槽内には、夫々着床部材と視認性を有する筒状の生育ホルダーが並列に設けられた支持基板とが夫々収容される請求項１〜４の何れか一つに記載の植物の生育測定器具。
【請求項６】
コンポスト化処理物の腐熟度を下記式（Ｉ）の発芽インデックスにより、コンポスト化処理物の腐熟度を判定する方法において、下記式（Ｉ）の発芽インデックスは、請求項１〜５の何れか一つに記載の植物の生育測定器具を用いて、コンポスト化処理物からの抽出液を含有する評価用着床部材を作製すると共に、上記抽出液を含まない対照用着床部材を作製し、これらの評価用着床部材及び対照用着床部材に夫々試験用植物の種子を蒔き、夫々筒状の生育ホルダー内で発芽、生育させた後、上記各試験用植物の種子の生育度合いを栽培槽又は生育ホルダーに設けた目盛部を測定することにより求められる、コンポスト化処理物の腐熟度を判定することを特徴とするコンポスト化処理物の腐熟度判定方法。
ＧＩ＝Ｇ／Ｇｃ×Ｌ／Ｌｃ×１００      ………（Ｉ）
ＧＩ：発芽インデックス、Ｇ：コンポスト化処理物抽出液での発芽数
Ｇｃ：蒸留水での発芽数、Ｌ：コンポスト化処理物抽出液での茎長
Ｌｃ：蒸留水での茎長
【発明の詳細な説明】
【０００１】
【発明の属する技術分野】
本発明は、コンポスト（堆肥）などの有機物の腐熟度の判定や、ある種の水溶液又は肥料含有液などが、どのような種類の植物の種子に対して適正に栽培できるか否かを簡単に試験等することができる植物の生育測定器具、及びその測定器具を用いたコンポスト化処理物の腐熟度判定方法に関する。
【０００２】
【従来の技術】
従来より、コンポスト（堆肥）などの有機物の腐熟度判定は、耕種農家が堆肥を製造する際し、温度のあがり具合、切返し時の観察、堆積期間、色調、香り、及び手触りなどから経験的に判定している。一般に、農家の場合、長年の経験と堆肥の素材が一定している場合が多いので、あまり大きな問題は発生しない。
【０００３】
今日のように、畜産農家と耕種とが分離し、畜産が益々巨大化して大量の家畜糞尿が排出されている。副資材を含めて堆肥の素材が複雑になり、加えて堆肥化の方法も複雑化しているので、従来のような経験が通用しない場面が多くなってきている。そのため、あらゆる有機物に汎用的に使えるものは、以外と少ないのが現状である。そのため、腐熟度の判定には、これらの方法をいくつか組合わせて行っているのが普通であり、家畜糞尿の堆肥化過程等において、製造された製品の腐熟度の評価判定は、極めて重要な事項となっている。
【０００４】
従来における腐熟度の評価法としては、生産現場で使えるように合理的に数量化したのが、形状評価点法である。本評価点法は、農業の生産現場では、煩雑ではあるが有効な検定法とされている。この煩雑さを解消するために、客観的な検定法としては、１）作物種子及び茶の花粉等の生物の反応を利用する方法、２）炭素率（水抽出物）、ＢＯＤ、ＣＯＤ、塩類濃度、陽イオン交換能、還元糖割合、フェノール物質、高速液体クロマトグラフィー法による化学分析による方法、３）円形ろ紙クロマトグラフィー法、ゲルクロマトグラフィー法、物体色測定法、近赤外分光分析法、及びガスセンサー法による化学物理的な分析による方法、４）植物の応答をみる圃場に近いポット栽培試験法等が知られている。
【０００５】
しかしながら、これらの腐熟度の判定方法は、高価な機材を必要としたり、操作性が煩雑であったり、長期にわたる多くの作業を強いられたりするなどの課題がある。
また、素材の異なる全ての堆肥の判定に汎用的に利用できるものは少なく、近年における堆肥の複雑化している現状、例えば、家畜糞尿である牛糞、豚糞、鶏糞などの３畜種の混合物などの複合化堆肥の腐熟度の評価法は、様々な素材の堆肥に対応し、かつ、簡便なものでならなければならない要請がある。
【０００６】
一方、小型シャーレ（直径５ｃｍ）に植物の種子と堆肥抽出液１ｍｌを添加して、２７℃で２４時間保温静置した後、発芽数と根の伸長を測定する（発芽インデックスを求める）ことにより、堆肥の腐熟度を判定する方法が知られている（例えば、非特許文献１参照。）。
【０００７】
【非特許文献１】
「Zucconi(University of Pisa,Italy),F.,ForteM.,Pera,M.and deBertoldi,M.:Evaluatinb Toxicity of Immature Compost. BioCycie,March-April: 54-57(1981)」
【０００８】
しかしながら、上記発芽数と根の伸長による腐熟度の判定方法は、様々な素材の堆肥に対応する点で有効であるが、発芽インデックス法の精度を高めるためには多数のサンプル数の計測をとる必要があるので、生育環境の保持や、測定に時間と手間がかかる点に未だ課題があり、更に簡便な方法等が切望されているのが現状である。
【０００９】
他方、上記発芽インデックス法の改良法として、コンポストなどの有機物から抽出物を含有する評価用培地を作成すると共に、その有機物抽出物を含まない対照用培地を作製し、これらの評価用培地及び対照用培地にもやし豆などの早熟の試験用種子をそれぞれ蒔き、発芽及び生育させた後、両試験用種子の発芽状態及び生育状態について比較することにより、コンポストなどの有機物の腐熟度を評価するようにしたことを特徴とするコンポストなどの有機物の腐熟度の評価方法が知られている（例えば、特許文献１参照。）。
また、本発明者は、コンポスト化処理物の腐熟度を下記式（Ｉ）の発芽インデックスにより、コンポスト化処理物の腐熟度を判定する方法を開示し、この下記式（Ｉ）の発芽インデックスによる堆肥の腐熟判定法が従来法の形状評価点法に較べて優れており、腐熟判定に常用されている従来法のポット栽培法と高い割合で同じ評価を得られることを解明して、精度の高い腐熱判定法であることを開示している（例えば、非特許文献２参照。）。
ＧＩ＝Ｇ／Ｇｃ×Ｌ／Ｌｃ×１００      ………（Ｉ）
ＧＩ：発芽インデックス、Ｇ：コンポスト化処理物抽出液での発芽数
Ｇｃ：蒸留水での発芽数、Ｌ：コンポスト化処理物抽出液での茎長
Ｌｃ：蒸留水での茎長
【００１０】
【特許文献１】
特開平１１−８９４５５号公報（特許請求の範囲、実施例等）
【非特許文献２】
金澤晋二郎・右近秀二、「堆肥腐熟判定従来法と発芽インデックス法の比較」、日本土壌肥料学会、講演要旨集、第４７巻、ｐ．１９３、平成１３年３月２１日発行」
【００１１】
しかしながら、上記特許文献１に記載される腐熟度の評価方法も、水の補給がない点で有効であるが、サンプル数が多い場合は生育環境の保持や、測定は手作業であり、時間と手間がかかる点に未だ課題があるものである。
また、上記非特許文献２に記載される上記式（Ｉ）の発芽インデックスは、実際の腐熟度に近い優れた判定式であるが、その判定式を得るための植物測定器具が従来と同様に濾紙を収容したシャーレを用いたものであるので、上記と同様にサンプル数が多い場合は生育環境の保持や、測定は手作業であり、時間と手間がかかる点に未だ課題があるものである。
【００１２】
更に、ある種の水溶液又は肥料含有液などが、どのような種類の植物の種子等に対して適正に栽培できるか否かを簡単に、且つ精確に試験等することができる植物の生育測定器具の出現が切望されているのが現状である。
【００１３】
【発明が解決しようとする課題】
そこで、本発明は、上記従来技術の課題及び現状等に鑑み、これを解消しようとするものであり、サンプル数が多くても簡単な作業で短時間にコンポスト（堆肥）などの有機物の腐熟度の測定ができる器具、並びに、ある種の水溶液又は肥料含有液などが、どのような種類の植物の種子等に対して適正に栽培できるか否かを簡単に、且つ精確に試験等することができる植物の生育測定器具の提供、及びその測定器具を用いたコンポスト化処理物の腐熟度判定方法を提供することを目的とする。
【００１４】
【課題を解決するための手段】
本発明者は、上記従来の課題等について、鋭意検討した結果、特定構造となる器具及びその器具を用いることにより、上記目的の植物の生育測定器具、及びその測定器具を用いたコンポスト化処理物の腐熟度判定方法が得られることに成功し、本発明を完成するに至ったのである。
すなわち、本発明は、次の(1)〜(6)に存する。
(1) 上方が開口した視認性を有する栽培槽と、該栽培槽に収容される植物の種子を発芽させる着床部材と、前記栽培槽に収容されると共に、着床部材より発芽した植物が生育する視認性を有する筒状の生育ホルダーが並列に設けられた支持基板とを有し、上記着床部材は生育ホルダーの下部に設けられ、かつ、上記視認性を有する栽培槽には、上記生育ホルダー内で生育する植物の生育度合いを測定する目盛部が設けられたことを特徴とする植物の生育測定器具。
(2) 支持基板には、筒状の生育ホルダーが２本〜３０本並列に設けられる上記(1)記載の植物の生育測定器具。
(3) 支持基板が暗色材から構成される上記(1)又は(2)記載の植物の生育測定器具。
(4) 支持基板に並列に設けられる各生育ホルダーには、該生育ホルダー内で生育する植物の生育度合いを測定する目盛部が設けられる上記(1)〜(3)の何れか一つに記載の植物の生育測定器具。
(5) 栽培槽内に設けられる仕切壁体により栽培槽が２以上に区画され、該区画された各区画栽培層内には、夫々着床部材と視認性を有する筒状の生育ホルダーが並列に設けられた支持基板とが夫々収容される上記(1)〜(4)の何れか一つに記載の植物の生育測定器具。
(6) コンポスト化処理物の腐熟度を下記式（Ｉ）の発芽インデックスにより、コンポスト化処理物の腐熟度を判定する方法において、下記式（Ｉ）の発芽インデックスは、請求項１〜５の何れか一つに記載の植物の生育測定器具を用いて、コンポスト化処理物からの抽出液を含有する評価用着床部材を作製すると共に、上記抽出液を含まない対照用着床部材を作製し、これらの評価用着床部材及び対照用着床部材に夫々試験用植物の種子を蒔き、夫々筒状の生育ホルダー内で発芽、生育させた後、上記各試験用植物の種子の生育度合いを栽培槽又は生育ホルダーに設けた目盛部を測定することにより求められる、コンポスト化処理物の腐熟度を判定することを特徴とするコンポスト化処理物の腐熟度判定方法。
ＧＩ＝Ｇ／Ｇｃ×Ｌ／Ｌｃ×１００      ………（Ｉ）
ＧＩ：発芽インデックス、Ｇ：コンポスト化処理物抽出液での発芽数
Ｇｃ：蒸留水での発芽数、Ｌ：コンポスト化処理物抽出液での茎長
Ｌｃ：蒸留水での茎長
【００１５】
【発明の実施の形態】
以下に、本発明の実施の形態を図面を参照しながら詳しく説明する。
図１〜図４は、本発明の第１実施形態を示す植物の生育測定器具Ａを示す図面であり、図１はその部分分解斜視図、図２（ａ）〜（ｃ）は夫々正面図、平面図、側面図であり、図３は使用状態を示す概略断面図であり、図４は測定器具Ａ内で植物の種子が発芽した状態の一例を示す概略断面図である。
本第１実施形態の植物の生育測定器具Ａは、図１に示すように、上方が開口した視認性を有する栽培槽１０と、該栽培槽１０に収容される植物の種子を発芽させる着床部材２０と、前記栽培槽１０に収容されると共に、着床部材２０より発芽した植物が生育する視認性を有する筒状の生育ホルダー２５が並列に設けられた支持基板３０と、視認性を有する蓋体４０とを備えている。
【００１６】
栽培槽１０は、直方体状で上方が開口しており、植物の種子を発芽させる着床部材２０と支持基板３０とを収容する構造となっており、栽培槽１０全体が視認を有する材質、具体的には、透明又は半透明な材質、本形態では透明材質となるアクリル樹脂から構成されている。
この栽培槽１０の内底部１１には、長手方向に仕切壁体１２が立設されており該仕切壁体１２により栽培槽が長手方向に２つに区画されている。また、栽培槽１０の正面側及び背面側の外表面部１３、１４には植物の生育度合いを測定する目盛部１３ａ，１４ａが生育ホルダー２１の下端部を基準点１５として上方に１ｃｍ毎に設けられている。
【００１７】
上記支持基板３０には、着床部材２０より発芽した植物が生育する視認性を有する縦長の円筒状の生育ホルダー２５、２５……が並列に連設されている。本形態では、生育ホルダー２５、２５……は１５本支持基板３０に並列に連設されると共に、支持基板３０、側面基板３２及び正面基板３３により四方が包囲されて一つにユニット化されている。また、各生育ホルダー２５、２５……の下部には、前記着床部材２０が収容される構造となるように各生育ホルダー２５、２５……の下端部及び側面基板３２の下端部は同じ長さとなるように設定され、支持基板３０及び正面基板３３の下端部は上記各生育ホルダー２５、２５……の下端部及び側面基板３２の下端部より短く設定されている。
【００１８】
上記生育ホルダー２５、２５……、側面基板３２及び正面基板３３、並びに栽培槽１０を施蓋する蓋体４０は、共に視認性を有する材質、具体的には、上記栽培槽１０と同様に透明又は半透明な材質、本形態では透明材質となるアクリル樹脂から構成されている。また、この蓋体４０には、施蓋して種子の発芽、生育中等で各生育ホルダー２５内が水蒸気で曇ってしまうため、曇り等を防止するため、長手方向中央には、直径３ｍｍの通気用孔４１が等間隔で３箇所形成されている。この孔４１が大きすぎると水分の蒸発が多くなり精確な測定を損なうため、蓋体４０天面の面積に対して、開口率０．６〜０．８％とすることが好ましい。
また、上記支持基板３０は、視認性を有する生育ホルダー２５内で生育する植物の生育度合いを視認しやすいように暗色部材、本形態では黒色の樹脂板で構成されている。
【００１９】
上記着床部材２０は、水分、コンポスト化処理物からの抽出液、肥料含有水溶液等を吸液すると共に、植物の種子の着床、発芽、生育することができる材料から構成されるものであり、例えば、不織布、脱脂綿、スポンジ、濾紙、ロックウール、ガラスウール、セラミック多孔体、ヤシ殻マットなどから構成されるものである。本実施形態では、脱脂綿から構成されている。
【００２０】
本発明の第１実施形態を示す植物の生育測定器具Ａでは、図１及び図２に示すように、上記仕切壁体１２により栽培槽１０が長手方向に２つに区画されて、該区画された各区画栽培槽１０ａ，１０ｂ内には、夫々上述の着床部材２０と視認性を有する筒状の生育ホルダー２５、２５……が並列に設けられた支持基板３０とが夫々収容される構造となっている。
【００２１】
このように構成される本発明の第１実施形態を示す植物の生育測定器具Ａでは、下記手順▲１▼〜▲５▼の手順で発芽準備を行うことができる。なお、下記手順▲１▼〜▲４▼の手順は使用者の利用しやすい方法で順不同、例えば、▲２▼、▲３▼、▲１▼、▲４▼の順、▲２▼、▲３▼、▲４▼、▲１▼の順、▲２▼、▲４▼、▲１▼、▲３▼の順で行うこともできる。
▲１▼  所定量となるコンポスト化処理物からの抽出液又は肥料含有水溶液等の評価用水溶液、及び、対照用の液体（蒸留水）を各栽培槽１０ａ、１０ｂ内に収容する。
▲２▼  着床部材２０、２０を各支持基板３０、３０に収容する。
▲３▼  支持基板３０、３０を各栽培槽１０ａ、１０ｂ内に収容する。
▲４▼  各支持基板３０、３０の各生育ホルダー２５、２５……内にコマツナ等の種子をピンセットなどで着床部材２０、２０に着床させる。
▲５▼  蓋体４０を施蓋する。
この状態で、そのまま室温下で放置して植物の種子を発芽、生育、または、図３に示すように恒温槽５０内に収容して放置、例えば、２５℃で７日間放置して植物の種子を発芽、生育させる。
【００２２】
上記内容で生育させると、図４に示すように、種子は発芽して生育ホルダー２５、２５……で幼植物Ｓ、Ｓ…が生育することとなる。本第１実施形態の植物の生育測定器具Ａでは、生育ホルダー２５、２５……、正面基板３３、栽培槽１０は全て視認性（透明部材）であるので、栽培槽１０の外部から肉眼で各生育ホルダー２５内で生育する評価用、対照用の幼植物Ｓ、Ｓ…の生育度合いを見る（視認する）ことができ、上記生育ホルダー内で生育する植物の生育度合いである茎長Ｌを目盛部１３ａ、１４ａにより簡単に測定することができることとなる。
本実施形態では、各生育ホルダー２５が１５本×２列（評価用、対照用）とサンプル数が多くても簡単な作業で短時間に植物の生育度合いである茎長を目盛部１３ａ、１４ａにより簡単に測定することができるものである。
本第１実施形態の生育測定器具Ａでは、着床部材２０に吸液させる、ある種の水溶液又は肥料含有液を適宜選択、並びに、植物の種子の選択などにより、ある種の水溶液又は肥料含有液などが、どのような種類の植物の種子に対して適正に栽培できるか否かを簡単に、且つ精確に測定することができるものとなる。また、植物の経時的な生育状態をその都度簡単に、かつ短時間に評価できるものである。更に後述するように、コンポスト（堆肥）などの有機物の腐熟度の測定に好適に使用することができるものとなる。
【００２３】
図５は、本発明の第２実施形態を示す植物の生育測定器具Ｂを示すものである。なお、上記第１実施形態と同一名称は同一符号を付けて表示し、その説明を省略する（以下の実施形態においても同様）。
この生育測定器具Ｂは、仕切壁体１２を設けず、栽培槽１０内に各生育ホルダー２５が１５本並列に連設された支持基板３０が１つ収容された点でのみ、上記第１実施形態に示す植物の生育測定器具Ａと相違するものであり、上記第１実施形態と同様に使用されるものである。なお、この場合は、上記第１実施形態のように測定器具１つで試験用と対照用の着床部材２０、２０からの発芽、生育はできないので、本第２実施形態の植物の生育測定器具Ｂを２つ使用することにより試験用と対照用の着床部材２０、２０からの発芽、生育、並びに測定等を行うことなる。
【００２４】
図６は、本発明の第３実施形態を示す植物の生育測定器具Ｃを示すものである。この生育測定器具Ｃは、長手方向に仕切壁体１２が設けられると共に、更に中央部の幅方向にも仕切壁体１６が設けられて、栽培槽が４つに区画され、該区画された各区画栽培槽内には、上記第１実施形態と同様の筒状の生育ホルダー（本形態では各７本）が並列に設けられた支持基板と着床部材が夫々収容される構造となる点でのみ、上記第１実施形態に示す植物の生育測定器具Ａと相違するものであり、上記第１実施形態と同様に使用されるものである。
本第３実施形態の植物の生育測定器具Ｃでは、栽培槽が４つに区画されるので、何れか一つを対照用とし、残り３つを試験用とすることができ、上記第１実施形態と同様に簡単に多種類の試験、測定を行うことができるものとなる。
【００２５】
図７は、本発明の第４実施形態を示す植物の生育測定器具Ｄを示すものである。この生育測定器具Ｄは、筒状の生育ホルダーが３０本（×２列）並列に連設される点でのみ、上記第１実施形態に示す植物の生育測定器具Ａと相違するものであり、上記第１実施形態と同様に使用されるものである。
本第４実施形態の植物の生育測定器具Ｄでは、サンプル数が多数あっても、上記第１実施形態と同様に簡単に試験、測定を行うことができるものとなる。
【００２６】
本発明の植物の生育測定器具は、上記実施形態に限定されるものではなく、本発明の技術思想の範囲内で、種々変更使用することができるものである。
例えば、上記第２実施形態の測定器具Ｂの幅方向に仕切壁体を１つ又は２つ以上設けて、栽培槽を２つ、または、３つ以上に区画してもよく、更に上記第４実施形態の測定器具Ｄの幅方向に仕切壁体を１つ又は２つ以上設けて、栽培槽を４つ以上に区画してもよいものである。
また、支持基板３０に並列に設けられる円筒状の生育ホルダー２５の数は、特に限定されないが、植物の種子の種類などにより適宜変更できるが、２本〜３０本程度が好ましく、更に好ましくは、５本〜２０本程度である。更に、生育ホルダー２５の形状を円筒状としたが、四角筒状などであってもよい。
上記実施形態では、支持基板３０を暗色部材で構成したが、目盛部の測定に支障がなければ、視認性を有する部材であってもよい。更に、目盛部の間隔を１ｃｍ毎としたが、その間隔を２ｍｍ毎、５ｍｍ毎などと適宜変更することができるものである。
【００２７】
更にまた、支持基板３０に並列に設けられる各生育ホルダー２５又は正面基板３３に、栽培槽１０に設けられる目盛部１３ａと同一の目盛部を併設、または、栽培槽１０の目盛部１３ａを設けないで、各生育ホルダー２５又は正面基板３３に目盛部を設けてもよいものである。上記栽培槽１０の目盛部１３ａの代わりに、各生育ホルダー２５等に目盛部を設けた場合には、着床部材２０を支持基板３０、側面基板３２及び正面基板３３により四方が包囲されてユニット化されたもので保持される構造、例えば、支持基板３０の下端部にＬ字状の部材を設けて保持する構造とすれば、生育後、該ユニット化された支持基板３０を取り出して、該各生育ホルダー２５又は正面基板３３に設けた目盛部により幼植物の茎長などを測定しても良いものである。
更に、本発明では、各生育ホルダー２５は支持基板３０に接着又は溶着などにより固着される構造であるので、取り扱い性が若干劣るが、側面基板３２及び正面基板３３を設けなくてもよく、この場合でも本発明の効果を発揮できるものである。
また、本発明の生育測定器具を用いることにより、後述するように、コンポスト化処理物の腐熟度を簡単に判定することができ、更に、土壌の健全性（植物が化学物質などの阻害を受けずに成長できる否かの度合い）等を評価することもできるものである。
【００２８】
次に、上記構成となる植物の生育測定器具を用いたコンポスト化処理物の腐熟度判定方法を説明する。
本発明方法は、コンポスト化処理物の腐熟度を下記式（Ｉ）の発芽インデックスにより、コンポスト化処理物の腐熟度を判定する方法であり、上記構成の植物の生育測定器具、すなわち、上記各実施形態Ａ〜Ｄ（Ｂでは２つ）の植物の生育測定器具を用いて、コンポスト化処理物からの抽出液を含有する評価用着床部材を作製すると共に、上記抽出液を含まない対照用着床部材を作製し、これらの評価用着床部材及び対照用着床部材に夫々試験用植物の種子、例えば、コマツナの種子を蒔き、夫々筒状の各生育ホルダー２５内で発芽、生育させた後、上記各試験用植物の種子の生育度合い（茎長）を栽培槽１０などに設けた目盛部１３ａ，１４ａより測定する。
次いで、下記式（Ｉ）により発芽インデックスを求めることにより、コンポスト化処理物の腐熟度を簡単に判定することができることとなる。
ＧＩ＝Ｇ／Ｇｃ×Ｌ／Ｌｃ×１００      ………（Ｉ）
ＧＩ：発芽インデックス、Ｇ：コンポスト化処理物抽出液での発芽数
Ｇｃ：蒸留水での発芽数、Ｌ：コンポスト化処理物抽出液での茎長
Ｌｃ：蒸留水での茎長
この算出された数値により、すなわち、発芽インデックス（ＧＩ）が７０％以下では、不熟、７０〜１００％では中熟、１００％以上であれば完熟堆肥となり、コンポスト化処理物の腐熟度を簡単に短時間で算出することができるものとなる。
用いることができる植物の種子としては、例えば、コマツナの他、シロイナズナ、ハツカダイコン、ダイコン、カブ、ハクサイ、モロヘイヤ、アサガオ、ワタ、ニチニチソウ、キンセンカ等を挙げることができ、これらに特に限定されるものではない。
【００２９】
【実施例】
次に、実施例及び比較例により本発明を更に具体的に説明するが、本発明は下記実施例に制限されるものではない。
【００３０】
（供試堆肥及び試験方法）
１）供試堆肥
試験に供した堆肥として、牛糞堆肥（敷料：のこくず、醗酵方式：堆積、通気：有、醗酵堆積期間：３ケ月、切り返し頻度７日１回）１点、三種混合（牛、豚、鶏＝５：２：３、敷料：のこくず、醗酵方式：堆積、通気：無、醗酵堆積期間：２ケ月、切り返し頻度７日１回）１点、計２点を用いた。
供試堆肥は、風乾させた後、粉砕機（ＨＥＩＫＯ  Ｔ１−１００）を用いて、微粉末にして試験に供した。
２）試験方法（発芽インデックス法）
試験は、蒸留水を対照に堆肥の熱水抽出液でコマツナを栽培し、７日目の発芽数及び茎長を調べ、上記式（Ｉ）を用いて発芽インデックスを求めた。ここで７日目の発芽数と茎長を調べた理由は、３〜４日迄で種子中の養分が枯渇するので、もし良質な堆把であれば発芽した種子は堆肥の養分を吸収して旺盛な生長を示すからである。従って、本試験は７日目の発芽数と茎長をもって堆肥の腐熟度を判定した。
試験の手順は以下に示す。各粉末乾燥堆肥２．５ｇを１００ｍＬ容三角フラスコに入れ、沸騰蒸留水４７．５ｍＬ加えた後、１時間静置した。その混合液を遠心分離（５０００ｒｐｍ、１０ｍｉｎ）し、上清液を堆肥抽出液とした。なお、上記堆肥抽出液として、上記混合液を遠心分離（５０００ｒｐｍ、１０ｍｉｎ）と濾紙５Ａにより濾過した濾液を堆肥抽出液としてもよい。
【００３１】
上記第１実施形態の下記構成となる植物の生育測定器具Ａを用いて試験した。
構成：
栽培槽：アクリル樹脂製（透明体）、３．８×１０×１６ｃｍ
生育ホルダー：アクリル樹脂製（透明体）、内径７ｍｍ、長さ７ｃｍ、１５本
支持基板：アクリル樹脂製（黒色）
目盛部間隔：１０ｍｍ
蓋体：アクリル樹脂製（透明体）、この蓋体には、曇りを防止するため、長手方向中央には、直径３ｍｍの通気用孔が等間隔で３箇所形成されている。孔が大きすぎると水分の蒸発が多くなり精確な測定を損なうため、蓋体天面の面積に対して、開口率０．６５％とした。
着床部材２０、２０を収容した支持基板３０、３０を各栽培槽１０ａ、１０ｂに収容し、夫々に評価用堆把抽出液２０ｍＬ、対照用に蒸留水２０ｍＬを添加した。各生育ホルダー内からコマツナの種子１粒合計１５粒を置き、蓋体４０を施蓋した。これを恒温槽に入れ、２５℃の恒温で１週間栽培した。
【００３２】
栽培後、発芽数及び茎長を目盛部で測定し（読み取り）、上記式（Ｉ）によって発芽インデックスを求めた。なお、茎長は、夫々１５本の平均により算出した。
牛糞堆肥：発芽率９５％、茎長：７．８ｃｍ、発芽インデックス：３２１％
三種混合：発芽率８５％、茎長：１．４ｃｍ、発芽インデックス：  ５２％
蒸留水：発芽率９５％、茎長：２．５ｃｍ
本法の生育測定器具による発芽試験は、茎長を目盛部で測定する（読み取る）ことにより、簡単に行うことができるので、従来の濾紙を収容したシャーレを用いたものなどに較べて、極めて簡単に発芽インデックスを求めることができると共に、サンプル数が多い場合でも生育環境の保持及び測定が簡単にできることが判った。本法の生育測定器具による発芽試験は、有害成分の有無だけでなく、植物が利用できる堆肥成分の品質をも判定できるものである。
【００３３】
【発明の効果】
本発明によれば、サンプル数が多くても簡単な作業で短時間にコンポスト（堆肥）などの有機物の腐熟度の測定ができる器具、並びに、ある種の水溶液又は肥料含有液などが、どのような種類の植物の種子等に対して適正に栽培できるか否かを簡単に、且つ精確に試験、並びに、土壌の健全性、例えば、植物が化学物質などの阻害を受けずに成長できる否かの度合い等を評価することができる植物の生育測定器具が提供される。
また、本発明方法によれば、本発明の生育測定器具を用いることにより、極めて簡便で、且つ迅速な方法でありながら、精度の高い腐熱度の判定が得られるコンポスト化処理物の腐熟度判定方法が提供される。
【図面の簡単な説明】
【図１】本発明の第１実施形態を示す植物の生育測定器具の部分分解斜視図である。
【図２】（ａ）〜（ｃ）は図１の生育測定器具の夫々正面図、平面図、側面図である。
【図３】図１の使用状態を示す概略断面図である。
【図４】図１の測定器具内で植物の種子が発芽した状態の一例を示す概略断面図である。
【図５】本発明の第２実施形態を示す植物の生育測定器具の平面図である。
【図６】本発明の第３実施形態を示す植物の生育測定器具の平面図である。
【図７】本発明の第４実施形態を示す植物の生育測定器具の平面図である。
【符号の説明】
Ａ    植物の生育測定器具
１０    栽培槽
１３ａ  目盛部
２０    着床部材
２５    生育ホルダー
３０    支持基板
【図１】
2004201586.tif 000003
【図２】
2004201586.tif 000004
【図３】
2004201586.tif 000005
【図４】
2004201586.tif 000006
【図５】
2004201586.tif 000007
【図６】
2004201586.tif 000008
【図７】
2004201586.tif 000009